(57)【特許請求の範囲】
【請求項１】
データを記憶する不揮発性メモリと、
外部から有線で電源の供給を受けてホスト装置とのデータ通信を有線で行い、前記不揮発性メモリとの間でデータの読み出し及び書き込みを行うコントローラと、
前記外部から有線で電源の供給を受けて無線ホスト装置とのデータ通信を無線で行い、前記不揮発性メモリとの間でデータの読み出し及び書き込みを行う無線通信部、及び前記無線通信部による無線でのデータ通信機能の断続を、前記ホスト装置からの指示によって切り替える無線通信機能制御部を有する無線コントローラと、
前記無線ホスト装置で送受信するファイルデータのファイルシステム構造を管理し、前記無線での前記不揮発性メモリからデータの読み出し及び書き込みを管理するファイルシステム管理部と、
を具備する不揮発性記憶装置。
【請求項２】
前記無線通信機能制御部は、
前記ホスト装置からの指示によって前記無線通信部の電源の投入と切断を切り替えることで、前記無線コントローラ内の無線でのデータ通信機能の断続を切り替えるスタンバイ部である
請求項１に記載の不揮発性記憶装置。
【請求項３】
前記無線通信部を介して前記無線ホスト装置とのファイルベースでのデータの読み書きを制御し、前記ファイルシステム管理部とファイルデータを送受信するファイルサーバー部、
を更に具備する請求項１に記載の不揮発性記憶装置。
【請求項４】
前記ファイルシステム管理部と前記ファイルサーバー部とは、前記コントローラに配置される
請求項３に記載の不揮発性記憶装置。
【請求項５】
ホスト装置と、前記ホスト装置に物理的に着脱可能であり前記ホスト装置と有線でデータ通信を行うとともに無線通信機能を備える不揮発性記憶装置と、前記不揮発性記憶装置と無線でデータ通信を行う無線ホスト装置と、を具備する不揮発性記憶システムであって、
前記不揮発性記憶装置は、
データを記憶する不揮発性メモリと、
外部から有線で電源の供給を受けて前記ホスト装置とのデータ通信を有線で行い、前記不揮発性メモリとの間でデータの読み出し及び書き込みを行うコントローラと、
前記外部から有線で電源の供給を受けて前記無線ホスト装置とのデータ通信を無線で行い、前記不揮発性メモリとの間でデータの読み出し及び書き込みを行う無線通信部、及び前記無線通信部による無線でのデータ通信機能の断続を、前記ホスト装置からの指示によって切り替える無線通信機能制御部を有する無線コントローラと、
前記無線ホスト装置で送受信するファイルデータのファイルシステム構造を管理し、前記無線での前記不揮発性メモリからデータの読み出し及び書き込みを管理するファイルシステム管理部と、
を具備する不揮発性記憶システム。
【請求項６】
前記無線通信機能制御部は、
前記ホスト装置からの指示によって前記無線通信部の電源の投入と切断を切り替えることで、前記無線コントローラ内の無線でのデータ通信機能の断続を切り替えるスタンバイ部である
請求項５に記載の不揮発性記憶システム。
【請求項７】
前記不揮発性記憶装置は、
前記無線通信部を介して前記無線ホスト装置とのファイルベースでのデータの読み書きを制御し、前記ファイルシステム管理部とファイルデータを送受信するファイルサーバー部を更に具備する
請求項５に記載の不揮発性記憶システム。
【請求項８】
前記ファイルシステム管理部と前記ファイルサーバー部とは、前記コントローラに配置される
請求項７に記載の不揮発性記憶システム。
【発明の詳細な説明】
【技術分野】
【０００１】
本発明は、無線通信機能を備えた不揮発性記憶装置等を用いて、無線通信機能を有効にするか無効にするかの切り替え制御に特徴を有する不揮発性記憶装置、不揮発性記憶システム及びホスト機器に関する。
【背景技術】
【０００２】
近年、不揮発性メモリであるフラッシュメモリを搭載したメモリカードは、デジタルカメラや携帯電話の記憶媒体としてその市場を拡大している。また、メモリカード容量の増加に伴い、メモリカードに記録できるファイルの数も増加している。このためホストデバイスでは、メモリカードを取り扱うために必要なＦＡＴファイルシステム情報のデータ量が増加しており、その結果メモリカードとホストデバイス間でやり取りされるＦＡＴファイルシステム情報のデータ量が多くなっている。【０００３】
特許文献１は、ＦＡＴファイルシステム情報のデータ量が多い場合に、ＦＡＴファイルシステム情報以外のデータについての読み書き性能が低下することを課題として挙げている。この課題に対応するために特許文献１では、ＦＡＴファイルシステム情報に基づくファイルシステム構造を管理するためのメモリカードコントローラを、メモリカード内部に備えている。これにより、メモリカードとホストデバイス間のＦＡＴファイルシステム情報のやり取りを削減することができる。特許文献１では、このような方法でデータの読み書き性能の低下を防ぐメモリカードが提案されている。【０００４】
また一方で機器のネットワーク化が進んでいるが、従来はホスト機器だけがネットワークに接続していた。しかし現在、メモリカードをはじめ、ネットワークに接続可能な不揮発性記憶装置（ストレージデバイス）が商品として販売されている。【０００５】
特許文献２は、このような無線通信機能を備えたストレージデバイスをホームサーバとして用いる例を示している。しかし特許文献２のストレージデバイスは、特許文献１のようにファイルシステム構造を管理するものではない。そこで今後、ネットワークに接続することが可能であり、かつファイルシステム構造を管理するメモリカードが増加すると考えられる。
【特許文献１】特開２００３−１８７２０３
【特許文献２】特開２００２−１９９１２１
【発明の開示】
【発明が解決しようとする課題】
【０００６】
無線通信機能を備えた不揮発性記憶装置をファイルサーバとしてネットワーク上で使用できるようにすることは、ユーザの利便性にとって非常に有益である。しかし、不揮発性記憶装置は無線通信機能を動作させるための電源が必要であるので、特定のホスト機器に装着された状態で使用することが多いメモリカード等の不揮発性記憶装置をファイルサーバとして使用する場合も、装着されたホスト機器から電源を得る。しかし無線通信機能は比較的電力消費が大きいので、ホスト機器が安定した電源に接続されておらず充電池で駆動している場合は、ホスト機器にとって電源の負担が大きくなるという課題がある。
【課題を解決するための手段】
【０００７】
この課題を解決するために、本発明の不揮発性記憶装置は、データを記憶する不揮発性メモリと、外部から有線で電源の供給を受けてホスト装置とのデータ通信を有線で行い、前記不揮発性メモリとの間でデータの読み出し及び書き込みを行うコントローラと、前記外部から有線で電源の供給を受けて無線ホスト装置とのデータ通信を無線で行い、前記不揮発性メモリとの間でデータの読み出し及び書き込みを行う無線通信部、及び前記無線通信部による無線でのデータ通信機能の断続を、前記ホスト装置からの指示によって切り替える無線通信機能制御部を有する無線コントローラと、前記無線での前記不揮発性メモリからデータの読み出し及び書き込みを管理するファイルシステム管理部と、を具備する。
【０００８】
ここで前記無線通信機能制御部は、外部からの指示によって前記無線通信部の電源の投入と切断を切り替えることで、前記無線コントローラ内の無線でのデータ通信機能の断続を切り替えるスタンバイ部としてもよい。【０００９】
ここで前記無線通信機能制御部は、外部から前記無線コントローラに供給される電源の電源線を接続及び切断することで、前記無線コントローラ内の無線でのデータ通信機能を断続するスイッチとしてもよい。【００１０】
ここで前記スイッチは、前記不揮発性記憶装置に設けられたスライド式の可動部によって実現されるようにしてもよい。【００１１】
ここで前記スイッチは、無線通信を行うためのアンテナ部で実現されるようにしてもよい。【００１３】
この課題を解決するために、本発明のホスト機器は、無線通信機能を備えた不揮発性記憶装置を物理的に着脱可能、かつ装着時に有線で不揮発性記憶装置に電源を供給するホスト機器であって、外部から指示を入力するためのユーザインターフェイスと、前記ユーザインターフェイスから受信した指示に基づいて前記不揮発性記憶装置の無線通信機能の有効と無効を切り替える指示を前記不揮発性記憶装置に送信するプロセッサと、を具備するものである。【００１４】
この課題を解決するために、本発明のホスト機器は、無線通信を行うための無線コントローラを備えた不揮発性記憶装置を物理的に着脱可能なホスト機器であって、外部から指示を入力するためのユーザインターフェイスと、前記無線コントローラに電源を供給するための電源端子、及び前記不揮発性記憶装置の無線コントローラを除く各部分に電源を供給する独立した複数の電源端子を有し、前記無線コントローラに電源を供給する電源端子を断続する電源供給部と、前記ユーザインターフェイスから受信した指示に基づいて、前記無線コントローラに電源を供給する電源端子の断続を切り替える指示を前記電源供給部に送信するプロセッサと、を具備するものである。【００１５】
この課題を解決するために、本発明のホスト機器は、無線通信機能を備えた不揮発性記憶装置を物理的に着脱可能、かつ装着時に有線で不揮発性記憶装置に電源を供給するホスト機器であって、外部からの電源供給の有無を検出する電源検出部と、前記電源検出部が検出した電源供給の有無に応じて前記不揮発性記憶装置の無線通信機能の有効と無効を切り替える指示を前記不揮発性記憶装置に送信するプロセッサと、を具備するものである。【００１６】
この課題を解決するために、本発明の不揮発性記憶システムは、ホスト装置と、前記ホスト装置に物理的に着脱可能であり前記ホスト装置と有線でデータ通信を行うとともに無線通信機能を備える不揮発性記憶装置と、前記不揮発性記憶装置と無線でデータ通信を行う無線ホスト装置と、を具備する不揮発性記憶システムであって、前記不揮発性記憶装置は、データを記憶する不揮発性メモリと、外部から有線で電源の供給を受けて前記ホスト装置とのデータ通信を有線で行い、前記不揮発性メモリとの間でデータの読み出し及び書き込みを行うコントローラと、前記外部から有線で電源の供給を受けて前記無線ホスト装置とのデータ通信を無線で行い、前記不揮発性メモリとの間でデータの読み出し及び書き込みを行う無線通信部、及び前記無線通信部による無線でのデータ通信機能の断続を、前記ホスト装置からの指示によって切り替える無線通信機能制御部を有する無線コントローラと、前記無線での前記不揮発性メモリからデータの読み出し及び書き込みを管理するファイルシステム管理部と、を具備する。
【００１７】
ここで前記ホスト機器は、外部から指示を入力するためのユーザインターフェイスと、前記ユーザインターフェイスから受信した指示に基づいて前記不揮発性記憶装置の無線通信機能の有効と無効を切り替える指示を前記不揮発性記憶装置に送信するプロセッサと、を備え、前記無線通信機能制御部は、外部からの指示によって前記無線通信部の電源の投入と切断を切り替えることで、前記無線コントローラ内の無線でのデータ通信機能の断続を切り替えるスタンバイ部としてもよい。【００１８】
この課題を解決するために、本発明の不揮発性記憶システムは、ホスト機器と、前記ホスト機器に物理的に着脱可能であり前記ホスト機器と有線でデータ通信を行なうとともに無線通信機能を備える不揮発性記憶装置と、前記不揮発性記憶装置と無線でデータ通信を行なう無線ホスト機器と、を具備する不揮発性記憶システムであって、前記不揮発性記憶装置は、データを記憶する不揮発性メモリと、外部から有線で電源の供給を受けて外部とのデータ通信を有線で行い、前記不揮発性メモリとの間でデータの読み出し及び書き込みを行うコントローラと、外部から有線で電源の供給を受けて外部とのデータ通信を無線で行い、前記不揮発性メモリとの間でデータの読み出し及び書き込みを行う無線通信部を有する無線コントローラと、外部から供給される電源を受け取るためのものであって、前記無線コントローラに電源を供給するための電源線を含む複数の独立した電源線と、を備え、前記ホスト機器は、外部から指示を入力するためのユーザインターフェイスと、前記不揮発性記憶装置の複数の独立した電源線と接続し、前記無線コントローラに電源を供給するための電源端子、及び前記不揮発性記憶装置の無線コントローラを除く各部分に電源を供給する独立した複数の電源端子を有し、前記無線コントローラに電源を供給する電源端子を断続する電源供給部と、前記ユーザインターフェイスから受信した指示に基づいて、前記無線コントローラに電源を供給する電源端子の断続を切り替える指示を前記電源供給部に送信するプロセッサと、を備えるものである。【００１９】
ここで前記無線通信機能制御部は、外部から前記無線コントローラに供給される電源の電源線を接続及び切断することで、前記無線コントローラ内の無線でのデータ通信機能の断続するスイッチとしてもよい。【００２０】
ここで前記スイッチは、前記不揮発性記憶装置に設けられたスライド式の可動部によって実現されるようにしてもよい。【００２１】
ここで前記スイッチは、無線通信を行うためのアンテナ部で実現されるようにしてもよい。【００２２】
ここで前記ホスト機器は、外部からの電源供給の有無を検出する電源検出部と、前記電源検出部が検出した電源供給の有無に応じて前記不揮発性記憶装置の無線通信機能の有効と無効を切り替える指示を前記不揮発性記憶装置に送信するプロセッサと、を備え、前記無線通信機能制御部は、外部からの指示によって前記無線通信部の電源の投入と切断を切り替えることで、前記無線コントローラ内の無線でのデータ通信機能の断続を切り替えるスタンバイ部としてもよい。【００２３】
この課題を解決するために、本発明の不揮発性記憶システムは、ホスト機器と、前記ホスト機器に物理的に着脱可能であり前記ホスト機器と有線でデータ通信を行なうとともに無線通信機能を備える不揮発性記憶装置と、前記不揮発性記憶装置と無線でデータ通信を行なう無線ホスト機器と、を具備する不揮発性記憶システムであって、前記不揮発性記憶装置は、データを記憶する不揮発性メモリと、前記ホスト機器から電源の供給を受けて前記ホスト機器とのデータ通信を有線で行い、前記不揮発性メモリとの間でデータの読み出し及び書き込みを行うコントローラと、前記ホスト機器から電源の供給を受けて前記無線ホスト機器とのデータ通信を無線で行い、前記不揮発性メモリとの間でデータの読み出し及び書き込みを行う無線通信部、及び前記ホスト機器から供給される電源の投入と切断を切り替える無線通信機能制御部を有する無線コントローラと、前記ホスト機器から供給される電源を受け取るためのものであって、前記無線コントローラに電源を供給するための電源線を含む複数の独立した電源線と、を備え、前記ホスト機器は、外部からの電源供給の有無を検出する電源検出部と、前記不揮発性記憶装置の複数の独立した電源線と接続し、前記無線コントローラに電源を供給するための電源端子、及び前記不揮発性記憶装置の無線コントローラを除く各部分に電源を供給する独立した複数の電源端子を有し、前記無線コントローラに電源を供給する電源端子を断続する電源供給部と、前記電源検出部が検出した電源供給の有無に応じて、前記無線コントローラに電源を供給する電源端子の断続を切り替える指示を前記電源供給部に送信するプロセッサと、を備えるものである。
【発明の効果】
【００２４】
本発明によれば、無線通信機能を有する不揮発性記憶装置を備えた不揮発性記憶システムにおいて、ホスト機器の電力消費を削減することができるとともに、ユーザからのアクセスに対する性能低下を回避することができる。また本発明の不揮発性記憶システムでは、無線通信機能を有効にするか無効にするかをユーザが任意に切り替えることができるので、不揮発性記憶装置のファイルサーバとしての機能を制限することができる。これによって外部から不揮発性記憶装置に対しての、ユーザが認識できない状態でのデータの読み書きを制限することができる。
【図面の簡単な説明】
【００２５】
【図１】図１は、本発明の実施の形態１における不揮発性記憶システムの構成を示す図である。
【図２】図２は、本発明の実施の形態１における不揮発性記憶システムの構成を示す模式図である。
【図３】図３は、本発明の実施の形態１における不揮発性記憶システムの動作を示すシーケンス図である。
【図４】図４は、本発明の実施の形態２における不揮発性記憶システムの構成を示す図である。
【図５】図５は、本発明の実施の形態２における不揮発性記憶システムの動作を示すシーケンス図である。
【図６】図６は、本発明の実施の形態３における不揮発性記憶システムの構成を示す図である。
【図７】図７は、本発明の実施の形態３における不揮発性記憶システムの動作を示すシーケンス図である。
【図８Ａ】図８Ａは、本発明の実施の形態３におけるスイッチ２６０の形態の一例を示す図である。
【図８Ｂ】図８Ｂは、本発明の実施の形態３におけるスイッチ２６０の形態の一例を示す図である。
【図９Ａ】図９Ａは、本発明の実施の形態３におけるスイッチ２６０の形態の一例を示す図である。
【図９Ｂ】図９Ｂは、本発明の実施の形態３におけるスイッチ２６０の形態の一例を示す図である。
【図１０】図１０は、本発明の実施の形態４における不揮発性記憶システムの構成を示す図である。
【図１１】図１１は、本発明の実施の形態４における不揮発性記憶システムの構成を示す模式図である。
【図１２】図１２は、本発明の実施の形態４における不揮発性記憶システムの動作を示すシーケンス図である。
【図１３】図１３は、本発明の実施の形態５における不揮発性記憶システムの構成を示す図である。
【図１４】図１４は、本発明の実施の形態５における不揮発性記憶システムの動作を示すシーケンス図である。
【符号の説明】
【００２６】
１００ａ〜１００ｅ  有線ホスト
２００ａ〜２００ｄ  メモリカード
３００  無線ホスト
４００  電圧源
１１０  ユーザインターフェイス
１１１ａ〜１１１ｃ  プロセッサ
１１２  メモリカードデータＩＦ部
１１３ａ、１１３ｂ  電源供給部
１１４  バッテリ
１１５  充電部
１１６  残量検出部
１１７  電源検出部
１１８  メモリカードファイルＩＦ
２１０ａ〜２１０ｃ  無線コントローラ
２１１ａ、２１１ｂ  無線通信部
２１２、２２３  ファイルサーバ部
２１３、２２４  ファイルシステム管理部
２１４  スタンバイ部
２２０ａ〜２２０ｃ  コントローラ
２２１ａ〜２２１ｃ  ホストインターフェイス
２２２  メモリインターフェイス
２３０  フラッシュメモリ
２４０  無線通信部電源供給線
２５０  メモリ部電源供給線
２６０  スイッチ
２６１  アンテナ
２６２  可動部
【発明を実施するための最良の形態】
【００２７】
（実施の形態１）
以下図１〜図３を参照し、本発明の実施の形態１について説明する。図１は、本発明の実施の形態１における不揮発性記憶システムの構成例を示すブロック図である。本実施の形態の不揮発性記憶システムの構成は、有線ホスト１００ａ、不揮発性記憶装置であるメモリカード２００ａ、無線ホスト３００、及び電圧源４００を含んでいる。図１において、太実線は電源を供給するための電源線を表しており、二重実線はデータ及びコマンドの信号線を表している。ここでメモリカード２００ａは、有線ホスト１００ａによるデータの読み書きが可能な不揮発性記憶装置である。メモリカード２００ａはホスト機器である有線ホスト１００ａと物理的に接続して電源を得ることによって使用可能となる。【００２８】
図２は、本実施の形態の不揮発性記憶システムの構成例を示す模式図である。図２には、有線ホスト１００ａ、メモリカード２００ａ、及び無線ホスト３００が示されている。本図に示すように、有線ホスト１００ａは、ディスプレイやボタンなどのユーザインターフェイスを備えている。メモリカード２００ａは、無線通信のためのアンテナを備えている。無線ホスト３００は、例えばパーソナルコンピュータである。図２においてメモリカード２００ａは、ＰＤＡである有線ホスト１００ａに挿入されている。この状態でメモリカード２００ａは有線ホスト１００ａから電源の供給を受けており、内部の無線通信部が働くことで外部の無線ホスト３００と接続が可能となる。【００２９】
図１に戻って有線ホスト１００ａは、ユーザインターフェイス（ＩＦ）１１０、プロセッサ１１１ａ、及びメモリカードデータインターフェイス（ＩＦ）１１２を含んでいる。有線ホスト１００ａはさらに、電源供給部１１３ａ、バッテリ１１４、充電部１１５、及び残量検出部１１６を含んでいる。【００３０】
ユーザインターフェイス１１０は、有線ホスト１００ａを操作するユーザとのインターフェイス群であって、例えばマイク、キーボード、スイッチなどの入力インターフェイスと例えばスピーカ、ディスプレイなどの出力インターフェイスを含んでいる。ユーザインターフェイス１１０は、例えばディスプレイ上のグラフィカルユーザインターフェイス（ＧＵＩ）などを通じてユーザからの入力を受け付けて、その入力内容をプロセッサ１１１ａに送信するものである。【００３１】
プロセッサ１１１ａは有線ホスト１００ａ全体の制御を行なうものであって、メモリカード２００ａに対するファイルの読み書きも制御する。プロセッサ１１１ａは、ユーザインターフェイス１１０から送信されたユーザからの入力内容をもとにして、メモリカードデータＩＦ１１２との間でデータ及びコマンドを送受信する。またプロセッサ１１１ａは、後述する残量検出部１１６からバッテリの残量についての情報を得る。【００３２】
メモリカードデータＩＦ１１２は、メモリカード２００ａとのインターフェイスのうち、電源を除く複数の信号線のインターフェイスを使用して、データの読み書きを制御するものである。メモリカードデータＩＦ１１２は、プロセッサ１１１ａから送信されたデータ及びコマンドをメモリカード２００ａに送信するとともに、メモリカード２００ａから送信されたデータ及びコマンドをプロセッサ１１１ａに送信する。【００３３】
電源供給部１１３ａは、電源に関係するメモリカード２００ａとのインターフェイスを制御して、バッテリ１１４から供給される電源をメモリカード２００ａに供給するものである。【００３４】
バッテリ１１４は、外部から充電可能な蓄電池であって、電源供給部１１３ａに電源を供給するとともに、充電部１１５によって充電される。【００３５】
充電部１１５は、電圧源４００から供給された電源を用いてバッテリ１１４を充電するものである。【００３６】
残量検出部１１６は、バッテリ１１４の残量を測定して、残量が所定の値以下になった場合に、残量が少なくなったことをプロセッサ部１１１ａに通知するものである。【００３７】
一方、メモリカード２００ａは、無線コントローラ２１０ａ、コントローラ２２０ａ、及びフラッシュメモリ２３０を含んでおり、有線ホスト１００ａのメモリカードデータＩＦ１１２及び電源供給部１１３ａを介して有線ホスト１００ａと有線で接続されている。無線コントローラ２１０ａ、コントローラ２２０ａ、及びフラッシュメモリ２３０は電源線で電源供給部１１３ａに接続されており、コントローラ２２０ａはさらに、メモリカードデータＩＦ１１２とデータ線で接続されている。【００３８】
無線コントローラ２１０ａは、無線通信部２１１ａ、ファイルサーバ部２１２、ファイルシステム管理部２１３、及びスタンバイ部２１４を含んでいる。【００３９】
無線通信部２１１ａは、無線ホスト３００と無線通信によってデータ及びコマンドを送受信するとともに、ファイルサーバ部２１２とデータ及びコマンドを送受信するものである。無線通信部２１１ａはファイルサーバ部２１２と信号線で接続されており、さらにスタンバイ部２１４と電源線で接続されている。【００４０】
ファイルサーバ部２１２は、無線通信部２１１ａを介して無線ホスト３００とのファイルベースでのデータの読み書きを制御するとともに、ファイルシステム管理部２１３とファイルデータを送受信するものである。ファイルサーバ部２１２は、無線通信部２１１ａ及びファイルシステム管理部２１３と信号線で接続されている。【００４１】
ファイルシステム管理部２１３は、無線ホスト３００との間で送受信するファイルデータのファイルシステム構造を管理するものである。ファイルシステム管理部２１３は、ファイルサーバ部２１２及びコントローラ２２０ａのホストインターフェイス２２１ａと信号線で接続されている。【００４２】
スタンバイ部２１４は無線通信機能制御部であって、コントローラ２２０ａのホストインターフェイス２２１ａから受信した信号に従って、無線通信部２１１ａの電源の投入及び切断を制御するものである。スタンバイ部２１４は、無線通信部２１１ａと電源線で接続されており、さらにホストインターフェイス２２１ａと信号線で接続されている。【００４３】
次にコントローラ２２０ａは、ホストインターフェイス（ＩＦ）２２１ａ及びメモリインターフェイス（ＩＦ）２２２を含んでいる。【００４４】
ホストインターフェイス２２１ａは、データの送受信に関する有線ホスト１００ａとの間のインターフェイスを制御するとともに、無線コントローラ２１０ａとの間でもデータの送受信に関するインターフェイスを制御するものである。ホストインターフェイス２２１ａは、有線ホスト１００ａのメモリカードデータＩＦ１１２、メモリインターフェイス２２２、ファイルシステム管理部２１３、及びスタンバイ部２１４と信号線で接続されている。【００４５】
メモリインターフェイス２２２は、フラッシュメモリ２３０に対してデータの読み書きに関するインターフェイスを制御するものであり、フラッシュメモリ２３０と信号線で接続されている。【００４６】
フラッシュメモリ２３０は、ＮＡＮＤ型フラッシュメモリ等の不揮発性メモリであって、コントローラ２２０ａのメモリインターフェイス２２２と信号線で接続されている。【００４７】
無線ホスト３００は、メモリカード２００ａとの間でデータを読み出し、書き込むホスト機器であって、読み書きされるデータを、無線によって無線通信部２１１ａを介してメモリカード２００ａとの間で送受信するものである。【００４８】
電圧源４００は、有線ホストに接続することで有線ホストのバッテリを充電するための電源である。電圧源４００は、有線ホスト１００ａの充電部１１５に接続される。【００４９】
本実施の形態の不揮発性記憶システムでは、このような構成によって、有線ホスト１００ａから無線コントローラ２１０ａ、コントローラ２２０ａ、及びフラッシュメモリ２３０に電源が供給されている。【００５０】
このような構成の不揮発性記憶システムにおいて、メモリカード２００ａの無線通信部２１１ａの電源を制御する方法を、図３のシーケンス図を用いて説明する。【００５１】
まずメモリカード２００ａの初期状態を、メモリカード２００ａのスタンバイ部２１４が無線通信部２１１ａの電源を切断した状態であって、無線ホスト３００からのメモリカード２００ａへのアクセスが不可能な状態であると仮定する。ここで、無線ホスト３００からのメモリカード２００ａへのアクセスが不可能な状態をメモリカード２００ａのファイルサーバとしての機能が無効であるといい、アクセスが可能な状態をメモリカード２００ａのファイルサーバとしての機能が有効であるという。【００５２】
この初期状態においてユーザが、無線ホスト３００からのメモリカード２００ａへのアクセスを可能にする場合には、ユーザは、有線ホスト１００ａのユーザインターフェイス１１０のＧＵＩを介して、メモリカード２００ａのファイルサーバとしての機能を有効にするための指示を出す（Ｓ１）。【００５３】
Ｓ１で出された指示は、無線通信部２１１ａへの電源投入を指示するコマンドとしてプロセッサ１１１ａからメモリカードデータＩＦ１１２を介して、メモリカード２００ａのホストインターフェイス２２１ａに送信される。ホストインターフェイス２２１ａは、このコマンドをスタンバイ部２１４に送信し、コマンドを受信したスタンバイ部２１４は、無線通信部２１１ａの電源を投入し、無線通信部２１１ａが動作状態となる（Ｓ２）。これによって、無線通信部２１１ａの無線通信機能が有効になる。【００５４】
無線通信部２１１ａに電源が投入されたメモリカード２００ａは、無線ホスト３００を認識し（Ｓ３）、続いてメモリカード２００ａと無線ホスト３００との間で接続が確立する（Ｓ４）。ここで、メモリカード２００ａのファイルサーバとしての機能が有効になる。【００５５】
無線ホスト３００は、メモリカード２００ａに対してファイルデータの読み出しまたは書込みを要求すると、ファイルの同期が行なわれファイルデータの読み出し及び書き込みが完了する（Ｓ５）。【００５６】
さて、メモリカード２００ａのファイルサーバとしての機能を無効化するときには、ユーザは、有線ホスト１００ａのユーザインターフェイス１１０のＧＵＩを介して、メモリカード２００ａのファイルサーバとしての機能を無効にするための指示を出す（Ｓ６）。【００５７】
Ｓ６で出された指示は、無線通信部２１１ａへの電源の切断を指示するコマンドとしてプロセッサ１１１ａからメモリカードデータＩＦ１１２を介して、メモリカード２００ａのホストインターフェイス２２１ａに送信される。ホストインターフェイス２２１ａは、このコマンドをスタンバイ部２１４に送信し、コマンドを受信したスタンバイ部２１４は、無線通信部２１１ａの電源を切断し、無線通信部２１１ａは機能しなくなる（Ｓ７）。これによって、無線通信部２１１ａの無線通信機能が無効になると同時に、メモリカード２００ａのファイルサーバとしての機能も無効になる。尚、図３のシーケンス図において、メモリカードの軸が一部、太実線となっているが、これは無線通信部２１１ａの無線通信機能が有効になっている有効期間Ｐ１を示している。【００５８】
このような本実施の形態の不揮発性記憶システムでは、ユーザが任意に無線通信部２１１ａの電源の投入と切断を切り替えることができる。またこれによって、無線通信部２１１ａが無駄に電力を消費しないようにすることができる。【００５９】
（実施の形態２）
以下図４及び図５を参照し、本発明の実施の形態２について説明する。図４は、本発明の実施の形態２における不揮発性記憶システムの構成例を示すブロック図である。本実施の形態の不揮発性記憶システムの構成は、有線ホスト１００ｂ、不揮発性記憶装置であるメモリカード２００ｂ、無線ホスト３００、及び電圧源４００を含んでいる。【００６０】
図４において実施の形態１と同一部分は同一符号を付して詳細な説明は省略する。ここでは、有線ホスト１００ｂについてはプロセッサ１１１ｂと電源供給部１１３ｂ、メモリカード２００ｂについては無線コントローラ２１０ｂの無線通信部２１１ｂとコントローラ２２０ｂのホストインターフェイス（ＩＦ）２１２ｂについて説明する。【００６１】
プロセッサ１１１ｂは、実施の形態１のプロセッサ１１１ａと同様に、有線ホスト１００ｂ全体の制御を行なうものであって、メモリカード２００ｂに対するファイルの読み書きも制御するものである。本実施の形態におけるプロセッサ１１１ｂは、ユーザによりユーザインターフェイス１１０を介して入力された内容をもとにして、後述する電源供給部１１３ｂに対してメモリカード２００ｂに対する電源の投入及び切断の指示をするコマンドを送信するものである。【００６２】
電源供給部１１３ｂは、バッテリ１１４より供給される電源をメモリカード２００ｂに供給するものである。電源供給部１１３ｂは、無線コントローラ２１０ｂに接続する無線通信部電源供給線２４０、及びコントローラ２２０ｂとフラッシュメモリ２３０に接続するメモリ部電源供給線２５０にそれぞれ接続する複数の電源端子を有している。さらに電源供給部１１３ｂは、電源に関係するメモリカード２００ｂとのインターフェイスを制御して、無線通信部電源供給線２４０及びメモリ部電源供給線２５０に対してそれぞれ独立して、電源の投入及び切断を切り替えるものである。【００６３】
無線通信部２１１ｂは、実施の形態１の無線通信部２１１ａと同様に、無線ホスト３００と無線通信によってデータ及びコマンドを送受信するとともに、ファイルサーバ部２１２とデータ及びコマンドを送受信するものである。しかしその電源は実施の形態１の無線通信部２１１ａと異なり、スタンバイ部２１４のようなブロックを介することなく無線通信部電源供給線２４０から直接得ている。【００６４】
ホストインターフェイス２２１ｂは、有線ホスト１００ｂに対してデータの送受信に関するインターフェイスを制御するとともに、無線コントローラ２１０ｂに対してもデータの送受信に関するインターフェイスを制御するものである。ホストインターフェイス２２１ｂは、有線ホスト１００ｂのメモリカードデータＩＦ１１２、ファイルシステム管理部２１３、及びメモリインターフェイス２２２と信号線で接続されている。【００６５】
図４において上記以外の構成は、実施の形態１で説明したものと同様である。このような構成によって本実施の形態の不揮発性記憶システムでは、有線ホスト１００ｂから無線コントローラ２１０ｂ、コントローラ２２０ｂ、及びフラッシュメモリ２３０に電源が供給されている。【００６６】
以上のような構成の不揮発性記憶システムにおいて、メモリカード２００ｂの無線通信部２１１ｂの電源を制御する方法を、図５のシーケンス図を用いて以下に説明する。【００６７】
まず有線ホスト１００ｂの初期状態を、電源供給部１１３ｂがメモリ部電源供給線２５０への電源を投入しかつ無線通信部電源供給線２４０への電源を切断した状態であって、無線コントローラ２１０ｂに電源が供給されず、無線ホスト３００からのメモリカード２００ｂへのアクセスが不可能な状態であると仮定する。【００６８】
この初期状態においてユーザが、無線ホスト３００からのメモリカード２００ｂへのアクセスを可能にする場合には、ユーザは、有線ホスト１００ｂのユーザインターフェイス１１０のＧＵＩを介して、メモリカード２００ｂのファイルサーバとしての機能を有効にするための指示を出す（Ｓ１１）。【００６９】
Ｓ１１で出された指示は、無線コントローラ２１０ｂへの電源投入を指示するコマンドとしてプロセッサ１１１ｂから電源供給部１１３ｂに送信される。このコマンドを受信した電源供給部１１３ｂは、無線通信部電源供給線２４０への電源を投入し、無線コントローラ２１０ｂが動作状態となる（Ｓ１２）。これによって、無線通信部２１１ｂの無線通信機能が有効になる。【００７０】
無線通信部２１１ｂの無線通信機能が有効になったメモリカード２００ｂは、無線ホスト３００を認識し（Ｓ１３）、続いてメモリカード２００ｂと無線ホスト３００との間で接続を確立する（Ｓ１４）。ここで、メモリカード２００ｂのファイルサーバとしての機能が有効になる。【００７１】
無線ホスト３００は、メモリカード２００ｂに対してファイルデータの読み出しまたは書込みを要求すると、ファイルの同期が行なわれファイルデータの読み出しまたは書込みが完了する（Ｓ１５）。【００７２】
さて、メモリカード２００ｂのファイルサーバとしての機能を無効化するときには、ユーザは、有線ホスト１００ｂのユーザインターフェイス１１０のＧＵＩを介して、メモリカード２００ｂのファイルサーバとしての機能を無効にするための指示を出す（Ｓ１６）。【００７３】
Ｓ１６で出された指示は、無線コントローラ２１０ｂへの電源の切断を指示するコマンドとしてプロセッサ１１１ｂから電源供給部１１３ｂに送信される。このコマンドを受信した電源供給部１１３ｂは、無線通信部電源供給線２４０への電源を切断し、無線コントローラ２１０ｂが機能しなくなる（Ｓ１７）。これによって、無線通信部２１１ｂの無線通信機能が無効になると同時に、メモリカード２００ｂのファイルサーバとしての機能も無効になる。尚、図５のシーケンス図において、メモリカードの軸が一部、太実線となっているが、これは無線通信部２１１ｂの無線通信機能の有効期間Ｐ２を示している。【００７４】
このような本実施の形態の不揮発性記憶システムでは、ユーザが任意に無線コントローラ２１０ｂの電源の投入と切断を切り替えることができる。またこれによって、無線コントローラ２１０ｂが無駄に電力を消費しないようにすることができる。【００７５】
（実施の形態３）
以下図６及び図７を参照し、本発明の実施の形態３について説明する。図６は、本発明の実施の形態３における不揮発性記憶システムの構成例を示すブロック図である。本実施の形態の不揮発性記憶システムの構成は、有線ホスト１００ｃ、不揮発性記憶装置であるメモリカード２００ｃ、及び無線ホスト３００を含んでいる。【００７６】
図６において実施の形態２と同一部分は同一符号を付して詳細な説明は省略する。ここでは、有線ホスト１００ｃ及びメモリカード２００ｃのスイッチ２６０について説明する。【００７７】
有線ホスト１００ｃは、従来のホスト機器であって、メモリカード２００ｃが装着されるとその装着を検知してメモリカード２００ｃに電源を供給するものである。【００７８】
スイッチ２６０は無線通信機能制御部であって、有線ホスト１００ｃと無線コントローラ２１０ｂとを接続する電源線の途中に設けられ、ユーザが手動で当該電源線を切断したり接続したりするものである。これによってスイッチ２６０は、無線コントローラ２１０ｂの電源の投入と切断とを切り替える。【００７９】
図６に示すような構成によって本実施の形態の不揮発性記憶システムでは、有線ホスト１００ｃから無線コントローラ２１０ｂ、コントローラ２２０ｂ、及びフラッシュメモリ２３０に電源が供給されている。【００８０】
このような構成の不揮発性記憶システムにおいて、メモリカード２００ｃの無線通信部２１１ｂの電源を制御する方法を、図７のシーケンス図を用いて説明する。【００８１】
本不揮発性記憶システムの初期状態では、有線ホスト１００ｃにメモリカード２００ｃが装着されてメモリカード２００ｃに電源が供給されており、スイッチ２６０が有線ホスト１００ｃと無線コントローラ２１０ｂを結ぶ電源線を切断している。これによって無線コントローラ２１０ｂに電源が供給されず、無線ホスト３００からのメモリカード２００ｃへのアクセスが不可能な状態となっている。【００８２】
この初期状態においてユーザが、無線ホスト３００からのメモリカード２００ｃへのアクセスを可能にする場合には、ユーザは、メモリカード２００ｃのスイッチ２６０を切り替えて、有線ホスト１００ｃと無線コントローラ２１０ｂを結ぶ電源線を接続する。これによって無線コントローラ２１０ｂに電源が供給され（Ｓ２１）、無線通信部２１１ｂの無線通信機能が有効になる。【００８３】
無線通信部２１１ｂの無線通信機能が有効になったメモリカード２００ｃは、無線ホスト３００を認識し（Ｓ２２）、続いてメモリカード２００ｃと無線ホスト３００との間で接続が確立する（Ｓ２３）。ここで、メモリカード２００ｃのファイルサーバとしての機能が有効になる。【００８４】
無線ホスト３００は、メモリカード２００ｃに対してファイルデータの読み出しまたは書込みを要求すると、ファイルの同期が行なわれファイルデータの読み出しまたは書込みが完了する（Ｓ２４）。【００８５】
さて、メモリカード２００ｃのファイルサーバとしての機能を無効化するときには、ユーザは、メモリカード２００ｃのスイッチ２６０を切り替えて、有線ホスト１００ｃと無線コントローラ２１０ｂを結ぶ電源線を切断し、無線コントローラ２１０ｂへ電源を切断する（Ｓ２５）。これによって、無線通信部２１１ｂの無線通信機能が無効になると同時に、メモリカード２００ｃのファイルサーバとしての機能も無効になる。尚、図７のシーケンス図において、メモリカードの軸が一部、太実線となっているが、これは無線通信部２１１ｂの無線通信機能が有効になっている有効期間Ｐ３を示している。【００８６】
本実施の形態の説明の最後に、スイッチ２６０の形態について以下に例を挙げて説明する。図８Ａ、図８Ｂは、スイッチ２６０に接続したアンテナ２６１の状態を示している。スイッチ２６０は、アンテナ２６１がメモリカード２００ｃと接続している回動部分と連動しており、アンテナ２６１の回動によってスイッチ２６０を断続することができる。図８Ａに示すように、アンテナ２６１を立てると、スイッチ２６０が押下され、スイッチ２６０はオンの状態となる。反対に図８Ｂに示すように、アンテナ２６１を倒すと、スイッチ２６０の押下が解除され、スイッチ２６０はオフとなる。【００８７】
次に、スイッチの別の形状を図９Ａ、図９Ｂに示す。図９Ａ、図９Ｂは、スイッチ２６０に接続した可動部２６２の状態を示している。スイッチ２６０は、可動部２６２のスライドと連動しており、可動部２６２のスライドによってスイッチ２６０を断続することができる。図９Ａに示すように、可動部２６２を図中右にスライドさせるとスイッチ２６０が押下され、スイッチ２６０はオンの状態となる。反対に図９Ｂに示すように、可動部２６２を図中左にスライドさせるとスイッチ２６０の押下が解除され、スイッチ２６０はオフとなる。【００８８】
このようにアンテナ２６１、可動部２６２を用いてスイッチ２６０のオンとオフを切り替えることで、ファイルサーバ機能の有効と無効を切り替えることができる。しかし、スイッチ２６０を接続及び切断できるものであれば、アンテナ２６１、可動部２６２以外の形態のものでも構わない。【００８９】
このような、メモリカードに備えたスイッチ２６０によって、ホスト機器に特別な仕組みを必要とすることなく無線コントローラ２１０ｂの電源を断続することができる。【００９０】
（実施の形態４）
以下図１０〜図１２を参照し、本発明の実施の形態４について説明する。図１０は、本発明の実施の形態４における不揮発性記憶システムの構成例を示すブロック図である。図１１は、本実施の形態の有線ホスト１００ｄが電圧源４００に取り付けられている状態を示す図である。本実施の形態の不揮発性記憶システムの構成は、有線ホスト１００ｄ、不揮発性記憶装置であるメモリカード２００ａ、無線ホスト３００、及び電圧源４００を含んでいる。【００９１】
図１０において実施の形態１と同一部分は同一符号を付して詳細な説明は省略する。ここでは、有線ホスト１００ｄのプロセッサ１１１ｃと電源検出部１１７を説明する。【００９２】
プロセッサ１１１ｃは、第１の実施の形態のプロセッサ１１１ａの働きに加えて、電源検出部１１７からの通知を受け取って、メモリカードデータＩＦ１１２にコマンドを送信するものである。【００９３】
電源検出部１１７は、電圧源４００が接続されていることを検出しプロセッサ１１１ｃに対して通知するものである。【００９４】
以上のような構成の不揮発性記憶システムの動作と電源の状態を、図１１と図１２のシーケンス図を用いて以下に説明する。【００９５】
まずユーザが、有線ホスト１００ｄを電圧源４００に接続する（Ｓ３１）。電源検出部１１７が、電圧源４００に接続したことをプロセッサ１１１ｃに通知する。この通知は、無線通信部２１１ａへの電源投入を指示するコマンドとしてプロセッサ１１１ｃからメモリカードデータＩＦ１１２を介して、メモリカード２００ａのホストインターフェイス２２１ａに送信される。ホストインターフェイス２２１ａは、このコマンドをスタンバイ部２１４に送信し、コマンドを受信したスタンバイ部２１４は、無線通信部２１１ａの電源を投入し、無線通信部２２１が動作状態となる（Ｓ３２）。【００９６】
無線通信部２１１ａに電源が投入されたメモリカード２００ａは、無線ホスト３００を認識し（Ｓ３３）、続いてメモリカード２００ａと無線ホスト３００との間で接続が確立する（Ｓ３４）。ここで、メモリカード２００ａのファイルサーバとしての機能が有効になる。【００９７】
無線ホスト３００は、メモリカード２００ａに対してファイルデータの読み出しまたは書込みを要求すると、ファイルの同期が行なわれファイルデータの読み出しまたは書込みが完了する（Ｓ３５）。【００９８】
ユーザが、有線ホスト１００ｄを電圧源４００から切り離すと（Ｓ３６）、電源検出部１１７が、電圧源４００と切り離されたことをプロセッサ１１１ｃに通知する。この通知は、無線通信部２１１ａへの電源切断を指示するコマンドとしてプロセッサ１１１ｃからメモリカードデータＩＦ１１２を介して、メモリカード２００ａのホストインターフェイス２２１ａに送信される。ホストインターフェイス２２１ａは、このコマンドをスタンバイ部２１４に送信し、コマンドを受信したスタンバイ部２１４は、無線通信部２１１ａの電源を切断し、無線通信部２１１ａは機能しなくなる。これによって、無線通信部２１１ａの無線通信機能が無効になると同時に、メモリカード２００ａのファイルサーバとしての機能も無効になる。（Ｓ３７）。尚、図１２のシーケンス図において、メモリカードの軸が一部、太実線となっているが、これらは電源検出部１１７が電圧源４００を検出している給電期間Ｐ４、無線通信部２１１ａの無線通信機能の有効期間Ｐ５を示している。【００９９】
尚、本実施の形態における不揮発性記憶システムは、実施の形態１の不揮発性記憶システムに電源検出部１１７を組み込んだ構成となっているが、実施の形態２の不揮発性記憶システムに電源検出部１１７を組み込むこともできる。【０１００】
つまり、電源検出部１１７を、実施の形態２の図４の不揮発性記憶システムに組み込んで電圧源４００と電源線で接続し、さらに電源供給部１１３ｂと信号線で接続する。電圧源４００が充電部１１５に接続されたときに、電源検出部１１７は電圧源４００が接続されていることを検出してプロセッサ１１１ｂに対して通知する。プロセッサ１１１ｂは、無線コントローラ２１０ｂへの電源の投入を指示するコマンドを電源供給部１１３ｂに送信する。このコマンドを受信した電源供給部１１３ｂが、無線通信部電源供給線２４０への電源を供給することで、無線通信部２１０ｂへの電源を投入することができる。また逆に、電圧源４００が充電部１１５から切り離されたときに、電源検出部１１７は電圧源４００が切り離されたことを検出してプロセッサ１１１ｂに対して通知する。プロセッサ１１１ｂは、無線コントローラ２１０ｂへの電源の切断を指示するコマンドを電源供給部１１３ｂに送信する。このコマンドを受信した電源供給部１１３ｂが、無線通信部電源供給線２４０への電源の供給を停止することで、無線通信部２１０ｂへの電源を切断することができる【０１０１】
このような不揮発性記憶システムによれば、ユーザは煩雑な操作をすることなく、ただ有線ホスト１００ｄと電圧源４００を接続及び切り離すことで、無線コントローラ及び無線通信部２１１ａの電源を断続することができる。【０１０２】
（実施の形態５）
以下図１３、図１４を参照し、本発明の実施の形態５について説明する。図１３は、本発明の実施の形態５における不揮発性記憶システムの構成例を示すブロック図である。本実施の形態の不揮発性記憶システムの構成は、有線ホスト１００ｅ、不揮発性記憶装置であるメモリカード２００ｄ、無線ホスト３００、及び電圧源４００を含んでいる。【０１０３】
図１３において実施の形態１と同一部分は同一符号を付して詳細な説明は省略する。ここでは、有線ホスト１００ｅのメモリカードファイルＩＦ１１８、及びメモリカード２００ｄのコントローラ２２０ｃについて説明する。【０１０４】
メモリカードファイルＩＦ１１８は、メモリカード２００ｄとのインターフェイスのうち、電源を除く複数の信号線のインターフェイスを使用して、ファイルの読み書きを制御するものである。メモリカードファイルインターフェイス（ＩＦ）１１８は、プロセッサ１１１ａから送信されたファイルデータ及びコマンドをメモリカード２００ｄに送信するとともに、メモリカード２００ｄから送信されたファイルデータ及びコマンドをプロセッサ１１１ａに送信する。【０１０５】
コントローラ２２０ｃは、ホストインターフェイス（ＩＦ）２２１ｃ、メモリインターフェイス（ＩＦ）２２２、ファイルサーバ部２２３、及びファイルシステム管理部２２４を含んでいる。【０１０６】
ファイルサーバ部２２３は、有線ホスト１００ｅのメモリカードファイルＩＦ１１８及び無線通信部２１１ａとの間でのファイルデータの読み書きを制御するとともに、ファイルシステム管理部２２４とファイルデータの送受信するものである。ファイルサーバ部２２３は、スタンバイ部２１４、メモリカードファイルＩＦ１１８、無線通信部２１１ａ、及びファイルシステム管理部２２４と信号線で接続されている。【０１０７】
ファイルシステム管理部２２４は、有線ホスト１００ｅ及び無線ホスト３００との間で送受信するファイルデータのファイルシステム構造を管理するものである。ファイルシステム管理部２２４は、ファイルサーバ部２２３及びホストインターフェイス２２１ｃと信号線で接続されている。【０１０８】
ホストインターフェイス２２１ｃは、有線ホスト１００ｅ及び無線ホスト３００に対してデータの送受信に関するインターフェイスを制御するものである。ホストインターフェイス２２１ｃは、メモリインターフェイス２２２及びファイルシステム管理部２２４と信号線で接続されている。【０１０９】
このような構成の不揮発性記憶システムにおいて、メモリカード２００ｄの無線通信部２１１ａの電源を制御する方法を、図１４のシーケンス図を用いて説明する。【０１１０】
まずメモリカード２００ｄの初期状態を、メモリカード２００ｄのスタンバイ部２１４が無線通信部２１１ａの電源を切断した状態であって、無線ホスト３００からのメモリカード２００ｄへのアクセスが不可能な状態であると仮定する。【０１１１】
この初期状態においてユーザが、無線ホスト３００からのメモリカード２００ｄへのアクセスを可能にする場合には、ユーザは、有線ホスト１００ｅのユーザインターフェイス１１０のＧＵＩを介して、メモリカード２００ｄのファイルサーバとしての機能を有効にするための指示を出す（Ｓ４１）。【０１１２】
Ｓ４１で出された指示は、無線通信部２１１ａへの電源投入を指示するコマンドとしてプロセッサ１１１ａからメモリカードファイルＩＦ１１８を介して、メモリカード２００ｄのファイルサーバ部２２３に送信される。ファイルサーバ部２２３は、このコマンドをスタンバイ部２１４に送信し、コマンドを受信したスタンバイ部２１４は、無線通信部２１１ａの電源を投入し、無線通信部２１１ａが機能する（Ｓ４２）。これによって、無線通信部２１１ａの無線通信機能が有効になる。【０１１３】
無線通信部２１１ａに電源が投入されたメモリカード２００ｄは、無線ホスト３００を認識し（Ｓ４３）、続いてメモリカード２００ｄと無線ホスト３００との間で接続が確立する（Ｓ４４）。ここで、メモリカード２００ｄのファイルサーバとしての機能が有効になる。【０１１４】
無線ホスト３００は、メモリカード２００ｄに対してファイルデータの読み出しまたは書込みを要求すると、ファイルの同期が行なわれファイルデータの読み出しまたは書込みが完了する（Ｓ４５）。【０１１５】
さて、メモリカード２００ｄのファイルサーバとしての機能を無効化するときには、ユーザは、有線ホスト１００ｅのユーザインターフェイス１１０のＧＵＩを介して、メモリカード２００ｄのファイルサーバとしての機能を無効にするための指示を出す（Ｓ４６）。【０１１６】
Ｓ４６で出された指示は、無線通信部２１１ａへの電源切断を指示するコマンドとしてプロセッサ１１１ａからメモリカードファイルＩＦ１１８を介して、メモリカード２００ｄのファイルサーバ部２２３に送信される。ファイルサーバ部２２３は、このコマンドをスタンバイ部２１４に送信し、コマンドを受信したスタンバイ部２１４は、無線通信部２１１ａの電源を切断し、無線通信部２１１ａは機能しなくなる（Ｓ４７）。これによって、無線通信部２１１ａの無線通信機能が無効になると同時に、メモリカード２００ｄのファイルサーバとしての機能も無効になる。尚、図１４のシーケンス図において、メモリカードの軸が一部、太実線となっているが、これは無線通信部２２１の無線通信機能の有効期間Ｐ６を示している。【０１１７】
なお、本実施の形態では、ファイルサーバ部とファイルシステム管理部を無線コントローラ２２０ｃではなく、コントローラ２２０ｃに配置した。これによって、有線ホストと無線ホストの複数のホストが、同時にメモリカード２００ｄにアクセスした場合のファイル管理の問題点を回避することができる。つまり、複数のホストからのアクセスに対するファイル管理を１つのファイルシステム管理部で行なうことで、ある１つのファイルのデータを複数のホストが同時に修正することができなくなるので、ファイルデータの破壊を防ぐことができる。【０１１８】
本発明の実施の形態１〜５によれば、有線ホストを操作しているユーザの指示または操作でのみメモリカードの無線通信機能の有効及び無効を切り替えることができる。従って、ユーザの意思に反して第３者が無線通信機能を通じてメモリカードのデータを共有することを防ぐことができる。つまり、ユーザがメモリカードをホストに装着して使用しているにもかかわらず、無線通信が可能な別のホストがそのメモリカードのデータを読み出すことや、データを書き込むことを防ぐことができる。このことにより、メモリカードが装着されたホストからのメモリカードへのアクセス性能の低下や、バッテリの不要な消耗などを回避することができる。【０１１９】
本発明の実施の形態２及び５においても実施の形態１と同様、図２に示すように有線ホストをＰＤＡとし、メモリカードをＰＤＡに装着した構成を採ることができる。これによってメモリカードは、有線ホストを経由することなく、無線ホストとの間でファイルを転送することができる。また新しいコンテンツファイルを、ネットワークを経由して無線ホストからメモリカードにダウンロードすることができるという、非常にユーザ利便性の高いファイルサーバ機能を提供することもできる。【０１２０】
また本発明の実施の形態１〜５において、不揮発性記憶装置としてフラッシュメモリを用いたメモリカードを挙げているが、本発明は、不揮発性の記憶装置であればどのような種類のものであっても本発明の効果を得る事ができる。例えば磁気記録を行うハードディスクドライブや、光学ディスクや、バッテリーバックアップされるＳＲＡＭであっても構わない。また複数種類の不揮発性記憶装置の組み合わせで構成されていても構わない。例えばＮＡＮＤ型のフラッシュメモリ等の半導体メモリとハードディスクとを組み合わせたものでも構わない。【０１２１】
さらに本発明は、メモリカード内部の構成についても、コントローラとフラッシュメモリと無線コントローラの物理的な３つのチップに限定するものではない。コントローラとフラッシュメモリと無線コントローラは、２以下の数のチップ上に構成されていても、４以上の数のチップ上に構成されていても構わない。
【産業上の利用可能性】
【０１２２】
本発明は無線通信機能を備えたメモリカードを用いた不揮発性記憶システムに適用することができ、特にメモリカードを取り扱うユーザ自身の指示または操作でその無線通信機能の動作の可否を決定することのできる、ユーザの利便性に寄与するものである。
【図１】
0005145227.tif 000002
【図２】
0005145227.tif 000003
【図３】
0005145227.tif 000004
【図４】
0005145227.tif 000005
【図５】
0005145227.tif 000006
【図６】
0005145227.tif 000007
【図７】
0005145227.tif 000008
【図８Ａ】
0005145227.tif 000009
【図８Ｂ】
0005145227.tif 000010
【図９Ａ】
0005145227.tif 000011
【図９Ｂ】
0005145227.tif 000012
【図１０】
0005145227.tif 000013
【図１１】
0005145227.tif 000014
【図１２】
0005145227.tif 000015
【図１３】
0005145227.tif 000016
【図１４】
0005145227.tif 000017